(57)【要約】【課題】水中に浸ったとき、人手を要せずに、水に応動して自動的に点燈し、水上遭難者の発見を容易にする自動点燈装置であり、保守、点検が容易であり、水中にあっても安定して点燈し続け、また、救命具の充気装置に低価格で内蔵させることもできる水上遭難者用感水応動式自動点燈装置を得ること。【解決手段】スプリングの荷重を受けている駆動杆を、浸水すると抑止力を喪失する感水応動性のストッパーで静止状態にしておき、ストッパーが抑止力を喪失したとき駆動した駆動杆で電気絶縁状態にある一対の端子に電路を形成させ、かつ、駆動杆を一対の端子を押圧下状態に位置させるように構成する。【選択図】図３
2005123037.tif 000002
【特許請求の範囲】
【請求項１】
浸水すると抑止力を喪失する感水応動性のストッパーによってスプリングの荷重を受けている駆動杆を静止状態にしておき、前記ストッパーが抑止力を喪失したとき運動した前記駆動杆が前記スプリングの残存する伸張力で電気的不連続の一対の端子に押圧を加えた状態で電路を形成することを特徴とする水上遭難者用感水応動式自動点燈装置。
【請求項２】
スプリングの荷重を受けている駆動杆を感水応動性のストッパーによって静止保持する機構と、ガスボンベを開封する撃針と、シーソー型レバーを有し、前記シーソー型レバーの一端を前記駆動杆に係合自在位置すると共に他端を前記撃針に係合自在位置して、前記駆動杆の駆動により前記シーソー型レバーを回動させて撃針を突き上げてガスボンベを開封する膨脹式救命具用充気装置において、前記駆動杆の降下方向のケーシングの底部に不連続の一対になる端子を設け、前記シーソー型レバーの駆動杆の側に導電体２７を設けて形成したことを特徴とする水上遭難者用感水応動式自動点燈装置。
【発明の詳細な説明】
【技術分野】
【０００１】
本発明は、救命いかだや救命胴衣に備えられている夜間遭難時における遭難者発見用ランプ、即ち電燈の点燈装置、特に、水に浸ると電路が自動的に形成されて電燈が点燈する水上遭難者用感水応動式自動点燈装置に関するものである。
【背景技術】
【０００２】
海上で遭難したときに用いる救命いかだや救命胴衣には、夜間での遭難者を発見し易くするため、遭難者の存在を示す電燈が取付けられている。
これらの電燈の点燈手段には、手動式と自動式とがあり、前者は遭難者が手動でスイッチを入れて点燈し、また、後者のものはガスが膨脹して浮体が形成されるときに、浮体の膨脹時の張力で海水電池の密封栓を取り外してそこから海水を電池内に取り入れて点燈するものである。
【０００３】
しかして、前記手動式のものでは、遭難者が予め操作方法を習得しておかなければならないし、また、危急時にこの操作を間違いなく行うのは、必ずしも容易でなく、この点燈操作がされなかったために、電燈が点燈されずに、遭難者の発見を遅らせることがある。
【０００４】
また、後者のガス膨脹時の張力で海水電池の栓を外すものでは、栓を外すための引き紐の引く方向とガス膨脹時の浮体の運動方向とを綿密に調節しておかなければならないし、折り畳んで収納する作業は煩雑で手間を要する。更に、海水電池は、非常に高価であり、かつ、水が一回でも電池内に浸入したものは再使用できないので救命具が高価となるのが免れない。
【発明の開示】
【発明が解決しようとする課題】
【０００５】
本発明は、上記の点に鑑みてなされたものであって、その目的とするところは、スイッチの接続操作を人手を要さずに、水に浸ると、駆動杆が作動して電路を自動的に形成することにより電燈を点燈することができ、しかも、電源には、市販の廉価な乾電池又は簡易充電式電池が使用できる廉価な水上遭難者用感水応動式自動点燈装置を提供することにある。
【課題を解決するための手段】
【０００６】
上記目的を達成するために、本発明に係る水上遭難者用感水応動式自動点燈装置は、浸水すると抑止力を喪失する感水応動性のストッパーによってスプリングの荷重を受けている駆動杆を静止状態にしておき、前記ストッパーが抑止力を喪失したとき運動した前記駆動杆が前記スプリングの残存する伸張力で電気的不連続の一対の端子に押圧を加えた状態で電路を形成することを特徴とする。
【０００７】
又、本発明の水上遭難者用感水応動式自動点燈装置は、スプリングの荷重を受けている駆動杆を感水応動性のストッパーによって静止保持する機構と、ガスボンベを開封する撃針と、シーソー型レバーを有し、前記シーソー型レバーの一端を前記駆動杆に係合自在位置すると共に他端を前記撃針に係合自在位置して、前記駆動杆の駆動により前記シーソー型レバーを回動させて撃針を突き上げてガスボンベを開封する膨脹式救命具用充気装置において、前記駆動杆の降下方向のケーシングの底部に不連続の一対になる端子を設け、前記シーソー型レバーの駆動杆の側に導電体を設けて形成してなる。
【発明の効果】
【０００８】
本発明は、スプリングの荷重を受けている駆動杆を、浸水すると速やかに抑止力を喪失する所謂感水応動性のストッパーで静止状態にしておき、浸水で前記ストッパーが抑止力を喪失したとき、静止状態から開放された前記駆動杆で絶縁状態にある対をなす端子に電路を形成するとともに前記端子を未だ残存する前記スプリングの伸張力で押圧を加えた状態に保持する水上遭難者用感水応動式自動点燈装置であるため、水中において、安定して通電し続け、漂流中ランプ点燈が消えることがない。
【０００９】
また、本発明の感水応動式点燈装置は、点燈装置を単独の機能体とすることもできるが、本発明の点燈装置に救命具用の充気装置を一体に設けて形成することもできるし、また、膨張式救命用具用の従来の充気装置に、装置全体の寸法を大きくすることなく、かつ、低価格で自動点燈機構を付加して充気と点燈の両機能を持たせることもできる。
【００１０】
更に、本発明の電池は、市販の廉価な乾電池の簡易充電式電池が使用できるので定期的に保守、点検をすれば必要時にはいつでも機能を発揮する等の効果を奏する。
【発明を実施するための最良の形態】
【００１１】
本発明の感水応動式自動点燈装置は、差し込み型ケーシングと受け口型ケーシングを螺合してハウジングを組立て、前記差し込み型ケーシングはスプリングにより荷重を受けている駆動杆を内蔵し、前記受け口型ケーシングには前記駆動杆の導電性になる先端部を挿入して受け止める感水応動性ストッパーを内蔵すると共に電気的不連続にある一対の端子が設けられて、ハウジング内に浸水して応動する機能部が存在し、前記一対の端子のそれぞれに連結しているリード線の一本を電池の陰極（又は陽極）に接続し、他の１本のリード線を電燈のフィラメントに接続し、更に、電池の陽極（又は陰極）を前記電燈のフィラメントに接続して構成される。
【実施例１】
【００１２】
図１は実施例１の感水応動式点燈装置の正面図、図２はその平面図、図３はランプを配線して示す感水応動式点燈装置の縦断正面図で、本発明の感水応動式点燈装置は、差し込み型ケーシング１と受け口型ケーシング６を互いのネジ部９で螺合してハウジングが組立てられる。前記差し込み型ケーシング１の内部にはコイルスプリング１１とフランジ２を持つ駆動杆３が内蔵されており、この駆動杆３の先端寄り個所に、駆動杆３の中心軸を囲繞するように所定の角度を持った傾斜面４が形成されて駆動杆３の先端部５が一体に延長突設され、この先端部５は導電性材料で構成されている。前記受け口型ケーシング６の内部には、浸水すると耐受圧強度を喪失する感水応動性ストッパー７が内蔵されている。
【００１３】
本発明の感水応動性ストッパー７としては、本出願人の特公平３−７７１１８号公報に開示されている抵抗体が最適である。即ち、本発明の感水応動性ストッパー７である抵抗体は、複数個の冶具７ａを中心軸に集束するように紙のような浸水すると速やかに強度を喪失する可撓性テープ７ｂで束縛して、この冶具７ａの中央穴７ｃには前記駆動杆３の先端部５が挿通されて、前記駆動杆３の傾斜面４の略全面を支える受型傾斜面８を有して形成される。
【００１４】
前記差し込み型ケーシング１を受け口型ケーシング６にネジ部９で螺合させると前記駆動杆３のフランジ２と差し込み型ケーシング１の天蓋内壁１０間にあるコイルスプリング１１は次第に圧縮されるが前記駆動杆３の傾斜面４は感水応動性ストッパー７の受型傾斜面８で受け止められるので、前記コイルスプリング１１は所定の圧縮長で圧縮されて前記駆動杆３は前記コイルスプリング１１の荷重を受けたまま静止状態に維持される。
【００１５】
受け口型ケーシング６の底部１２の前記駆動軸の延長上には、対をなす端子１３ａ，１３ｂが相互に絶縁した状態で埋設されている。
【００１６】
従って、前記差し込み型ケーシング１と受け口型ケーシング６とで構成されるハウジング内が浸水するとハウジングの水取入口１４から侵入した水は感水応動性ストッパー７を濡らしてその抗力を喪失させるので駆動杆３の動きを阻止することができなくなり、駆動杆３は点線１５で示した位置に瞬時に移動し、駆動杆３の導電性になる先端部５は端子１３ａ，１３ｂに接触して電池１６の陽極１７に接続されているフィラメント１８に陰極１９を通電しランプ２０を点燈する。
【００１７】
このように浸水して自動的に点燈したランプ２０は、スプリング１１に残存している伸張力で駆動杆３の導電性先端部５によって端子１３ａ、１３ｂは押し続けられて接続をしているので電池１６の電気容量がある限り点燈を続ける。
なお、２１及び２２は陰極１９を接続するリード線である。
【００１８】
この実施例１に示す電池１６は、乾電池であるが、充電式電池を用いることもできる。
【実施例２】
【００１９】
図４は感水応動式自動点燈装置の正面図、図５はその縦断正面図を示し、この実施例２の感水応動式点燈装置は、膨脹式救命具の充気装置３１を一体に有して形成され、この感水応動式点燈装置には前記実施例1と同様の浸水すると応動する機能部が、差し込み型ケーシング１と受け口型ケーシング６で構成されるハウジング内に内在している。そして、この感水応動式点燈装置は、前記充気装置３１のバルブ挿通孔２３に浮体のバルブ（図示せず）を挿通してネジ止めして用いられる。
【００２０】
前記差し込み型ケーシング1の中にはコイルスプリング１１と駆動杆3が内蔵され、受け口型ケーシング6の中には駆動杆3の先端部５を挿入して傾斜面４を受け止める感水応動性ストッパー7が内蔵され、底部１２には不連続の一対の端子１３ａ，１３ｂが設けられている。差し込み型ケーシング１と受け口型ケーシング6は螺合され、駆動杆3は感水応動性ストッパー７で動きが抑止されてフランジ２と差し込み型ケーシング1の天蓋の内壁１０との間でコイルスプリング１１は圧縮されている。
【００２１】
前記充気装置３１には炭酸ガスボンベ２４が螺着され、撃針２５によって開封されるようになっている。前記充気装置にはシーソー型レバー２６が軸着されていて該レバー２６の一端が前記撃針２５に係合自在せしめられと共に他端を駆動杆３の先端部５と係合自在せしられている。そして、前記シーソー型レバー２６の前記駆動杆３の先端部５と係合する側の端部に一対の端子１３ａ，１３ｂを接続するための導電体２７が設けられる。従って、この実施例２の駆動杆３の先端部５は導電性材料で形成する必要はない。
【００２２】
この実施例２の感水応動式点燈装置が水に浸ると、水は水取入口１４から受け口型ケーシング6の中に入り、感水応動性ストッパー７は瞬時にして抑止力を喪失し、駆動杆３は衝撃力でシーソー型レバー２６を回転させて点線２８の位置まで押し下げて前記導電体２７を対をなす端子１３ａ，１３ｂに電気的接続をすると同時にて撃針２５をガスボンベ２４の方向に突き上げてガスボンベ２４を開口し、噴出したガスはバルブ挿通孔２３を通って浮体（図示せず）に流入してこの浮体を膨脹させる。
【００２３】
この充気装置３１には、引紐２９のついた手動用レバー３０が軸着されていて、引紐２９を引くと、前記した浸水で応動する機能部とは無関係で、手動レバー３０が回転し、シーソー型レバー２６を介して撃針２５を突き上げてガスボンベ２４を開封する機能をも兼ね備えている。このように、手動でガスを噴出させたときにも手動レバー３０は、点線３２で示す位置に動き、戻す方向の外力を加えない限りその位置に留まるので、シーソー型レバー２６は点線２８の位置で静止状態を続ける。
【００２４】
したがって、この充気装置は、自動作動が手動作動よりも先行した場合は勿論のこと、手動作動が自動作動に先行して自動作動が後続した場合でも、また、自動作動と手動作動とが同時に行われた場合でも、シーソー型レバー２６は点線２８の位置で静止し、コイルスプリング１１に残存している伸張力で駆動杆３はシーソー型レバー２６を押圧し続け、シーソー型レバー２６に設けられている導電体２７は充気装置の底部１２に電気的に不連続に設けられている対をなす端子１３ａ，１３ｂを電気的に接続し、浮体をガス膨脹させると同時にランプ２０を点燈させる。
なお、この実施例２における電池は乾電池でも充電式電池でもよい。
【００２５】
上述の実施例２では、感水応動式点燈装置に充気装置３１を設けた水上遭難者用感水応動式自動点燈装置として発明を構成したが、従来の膨脹式救命具用の充気装置、即ち、スプリング１１の荷重を受けている駆動杆３を感水応動性のストッパーによって静止保持する機構と、炭酸ガスボンベ２４を開封する撃針２５と、シーソー型レバー２６を有し、前記シーソー型レバー２６の一端を前記駆動杆３に係合自在位置すると共に他端を前記撃針２５に係合自在位置して、前記駆動杆３の駆動により前記シーソー型レバー２６を回動させて撃針２５を突き上げてガスボンベ２４を開封する従来の膨脹式救命具用の自動充気装置において、前記駆動杆３の降下方向の底部１２に不連続の一対になる端子１３ａ，１３ｂを設け、前記シーソー型レバー２６の駆動杆３の側の前記端子１３ａ，１３ｂに接続する個所に導電体２７を設けて形成することにより、従来の充気装置の寸法を大きくすることなく、かつ、低価格で付加して充気と点燈の両機能を持たせて構成することもできる。
【図面の簡単な説明】
【００２６】
【図１】本発明に係る実施例１の感水応動式自動点燈装置の正面図である。
【図２】本発明に係る実施例１の感水応動式自動点燈装置の平面図である。
【図３】本発明に係る実施例１のランプを配線して示す感水応動式自動点燈装置の縦断正面図である。
【図４】本発明に係る実施例２の水上遭難者用充気装置機能を一体に備える水上遭難者用感水応動式自動点燈装置の正面図である。
【図５】本発明に係る実施例２の水上遭難者用充気装置機能を一体に備える水上遭難者用感水応動式自動点燈装置の縦断正面図である。
【符号の説明】
【００２７】
１      差し込み型ケーシング
２      フランジ
３      駆動杆
４      傾斜面
５      導電性先端部
６      受け口型ケーシング
７      感水応動性ストッパー
８      受型傾斜面
９      ネジ
１０    天蓋内壁
１１    コイルスプリング
１２    受け口型ケーシングの底部
１３ａ，１３ｂ    端子
１４    水取入口
１５    点線
１６    電池
１７    陽極
１８    フィラメント
１９    陰極
２０    ランプ
２１    リード線
２２    リード線
２３    バルブ挿通孔
２４    ガスボンベ
２５    撃針
２６    シーソー型レバー
２７    導電体
２８    点線
２９    引紐
３０    手動用レバー
３１    充気装置
３２    点線
【図１】
2005123037.tif 000003
【図２】
2005123037.tif 000004
【図３】
2005123037.tif 000005
【図４】
2005123037.tif 000006
【図５】
2005123037.tif 000007